(57)【要約】【課題】本発明の課題は、複数のアクセスポイント遠隔端末としてのサーバーにより効率的に一括管理できるようにする。【解決手段】ルーター２とルーター２に接続されたストレージ４とを備え、ストレージ４にはユーザーからのアクセス時に閲覧やダウンロードさせるデータが格納され、アクセス時のログデータ等もストレージ４に格納し、必要な時にサーバー６へ送信し管理する。また、サーバー６からストレージ４内のデータを修正・変更することができる。【選択図】図３
2013141193.tif 000002
【特許請求の範囲】
【請求項１】
インターネットへ無線携帯端末を接続するアクセスポイントを形成するための公衆無線ＬＡＮシステムであって、
所定距離範囲に存在する無線携帯端末との間で無線ＬＡＮを構築するとともに該無線携帯端末をインターネットへ接続するための接続手段を含むルーターと、
そのルーターに接続された外部メモリとして機能し、インターネットへ接続された遠隔端末から送信されるデータの書込みが可能であって、前記無線携帯端末からのアクセスに伴って閲覧又はダウンロードされる無線ＬＡＮ固有データが少なくとも格納されるストレージと、
前記ストレージに格納された前記無線ＬＡＮ固有データを前記ルーターにアクセスした無線携帯端末に閲覧又はダウンロードさせる固有データ送信手段と、
を含むことを特徴とする公衆無線ＬＡＮシステム。
【請求項２】
前記遠隔端末からインターネットを介して前記無線ＬＡＮ固有データを前記ストレージに書込み、若しくは該ストレージに格納されている無線ＬＡＮ固有データを変更するデータ管理手段を含む請求項１に記載の公衆無線ＬＡＮシステム。
【請求項３】
前記ルーターに駆動電源を接続する電源回路と、
その電源回路に設けられたルーター電源オンオフ装置と、
前記ルーターの稼働状況を検出する稼働検出手段と、
その稼働検出手段によりルーターの稼働状況を監視し、フリーズが生じていると判定したときに前記ルーター電源オンオフ装置により前記ルーターへの電源をいったんオフした後に再びオンとして再起動させるルーター管理手段と、
を含む請求項１又は２に記載の公衆無線ＬＡＮシステム。
【請求項４】
前記ルーターに駆動電源を接続する電源回路と、
その電源回路に設けられたルーター電源オンオフ装置と、
ルーター内又はルーター近傍の温度を計測する温度センサと、
その温度センサによりルーターの温度状態を監視し、そのルーター内又はその近傍の温度が所定値以上の高温状態となったときに前記ルーター電源オンオフ装置によりルーターへの電源をいったんオフし、前記温度が低下基準を満たしたときにルーターへの電源を再びオンとするルーター管理手段と、
を含む請求項１又は２に記載の公衆無線ＬＡＮシステム。
【請求項５】
前記ルーターに駆動電源を接続する電源回路と、
その電源回路に設けられたルーター電源オンオフ装置と、
前記ルーターの稼働時間帯を設定する稼働時間帯設定手段と、
その稼働時間帯設定手段により設定されたルーターの稼働開始時間、及び稼働終了時間が到来したかどうかを判定する計時手段と、
その計時手段がルーターの稼働開始時間を示したときに前記ルーター電源オンオフ装置によりルーターの電源をオンとし、前記稼働終了時間を示したときに前記ルーター電源オンオフ装置によりルーターの電源をオフとするルーター管理手段と、
を含む請求項１又は２に記載の公衆無線ＬＡＮシステム。
【請求項６】
前記ルーターに駆動電源を接続する電源回路と、
その電源回路に設けられたルーター電源オンオフ装置と、
前記ルーターの稼働状況を検出する稼働検出手段と、
前記ルーターの稼働時間帯を設定する稼働時間帯設定手段と、
その稼働時間帯設定手段により設定されたルーターの稼働開始時間、及び稼働終了時間が到来したかどうかを判定する計時手段と、
前記稼働検出手段によりルーターの稼働状況を監視し、フリーズが生じていると判定したときに前記ルーター電源オンオフ装置により前記ルーターへの電源をいったんオフした後に再びオンとして再起動させる機能と、前記計時手段が前記ルーターの稼働開始時間を示したときに前記ルーター電源オンオフ装置により前記ルーターの電源をオンとし、前記稼働終了時間を示したときに前記ルーター電源オンオフ装置により前記ルーターの電源をオフとする機能とを併有するルーター管理手段と、
を含む請求項１又は２に記載の公衆無線ＬＡＮシステム。
【請求項７】
前記固有データ送信手段は、前記無線携帯端末がルーターと無線ＬＡＮで接続されたとき、前記ストレージに格納されている無線ＬＡＮ固有データ中に含まれる基本画面データを読み出して無線携帯端末に送信し、
前記接続手段は、その基本画面の閲覧がされた後になされる、無線携帯端末から前記ルーターへ送られるインターネットへの接続指令により無線携帯端末をインターネットへ接続する請求項１又は２に記載の公衆無線ＬＡＮシステム。
【請求項８】
前記アクセスポイントを構成する主要な構成要素であるルーター及びストレージを含むルーター装置が複数設置され、それら複数のルーター装置がインターネットへそれぞれ接続され、他方、そのインターネットへ接続された遠隔端末としてのサーバーから各ルーター装置のストレージに対し前記無線ＬＡＮ固有データがインターネットを介して送信されて該無線ＬＡＮ固有データがそれぞれ格納又は変更される請求項２に記載の公衆無線ＬＡＮシステム。
【請求項９】
前記アクセスポイントを構成する主要な構成要素であるルーター及びストレージを含むルーター装置が複数設置され、それら複数のルーター装置がインターネットへそれぞれ接続され、他方、そのインターネットへ接続された遠隔端末としてのサーバーから、ルーターの前記稼働時間帯を設定する稼働時間帯設定手段のためのデータが各ルーター装置へ送信される請求項５に記載の公衆無線ＬＡＮシステム。
【請求項１０】
請求項１に記載のルーター、ストレージ、及び固有データ送信手段を含むルーター装置が設置されたことを特徴とする自動販売機。
【発明の詳細な説明】
【技術分野】
【０００１】
本発明は、インターネットへ無線携帯端末を接続するアクセスポイントを接続するための公衆無線ＬＡＮシステムに関する。
【背景技術】
【０００２】
近年、街中などの人の集まる場所で不特定多数の利用者にインターネット接続サービスを提供する、公衆エリア無線ＬＡＮサービスが広まりつつあり、アクセスポイントとなる無線ＬＡＮ装置が街中に設置されるようになった。
【０００３】
特許文献１に示す無線ＬＡＮ装置は、例えば、店舗内等に設置されて、無線携帯端末を所持するユーザーが無線通信可能な距離内からその無線ＬＡＮ装置にアクセスし、インターネットに接続して所望の通信を行うことが可能となる。
【先行技術文献】
【特許文献】
【０００４】
【特許文献１】特開２０１１−１４６９７８号公報
【発明の概要】
【発明が解決しようとする課題】
【０００５】
上記のような無線ＬＡＮ装置が複数箇所に設置されていると、現場に出向いてそのメンテナンスを行わねばならず、多くの人と時間を要する。本発明の課題は複数の無線ＬＡＮ装置（アクセスポイント）を設置した場合でも、そのメンテナンスやデータ管理が容易な公衆無線ＬＡＮシステム及びそれに用いるルーター装置が設置された自動販売機を提供することにある。
【課題を解決するための手段】
【０００６】
本発明は、
インターネットへ無線携帯端末を接続するアクセスポイントを形成するための公衆無線ＬＡＮシステムにかかり、
所定距離範囲に存在する無線携帯端末との間で無線ＬＡＮを構築するとともに該無線携帯端末をインターネットへ接続するための接続手段を含むルーターと、
そのルーターに接続された外部メモリとして機能し、インターネットへ接続された遠隔端末から送信されるデータの書込みが可能であって、前記無線携帯端末からのアクセスに伴って閲覧又はダウンロードされる無線ＬＡＮ固有データが少なくとも格納されるストレージと、
前記ストレージに格納された前記無線ＬＡＮ固有データを前記ルーターにアクセスした無線携帯端末に閲覧又はダウンロードさせる固有データ送信手段と、
を含むことを特徴とする。
【０００７】
また、本発明は、前記遠隔端末からインターネットを介して前記無線ＬＡＮ固有データを前記ストレージに書込み、若しくは該ストレージに格納されている無線ＬＡＮ固有データを変更するデータ管理手段を含む。
【０００８】
このような公衆無線ＬＡＮシステムによれば、ルーターに高容量メモリであるストレージが接続され、そのストレージに公衆無線ＬＡＮ固有データ（例えば閲覧データやユーザー用ダウンロードデータ）を格納し、また、ユーザーからのアクセスデータがそこに格納される一方、サーバー等の遠隔端末からそのストレージに無線ＬＡＮ固有データを書込んだり、そのデータを変更したりすることが容易にでき、かつ、そのストレージに格納されているユーザーのアクセスデータ（例えば端末情報を含むログデータ等）をサーバー等の遠隔端末へ送信して、そこで管理するといった遠隔からの一括かつ効率的な管理が可能となる。
【０００９】
本発明の実施態様において、
前記ルーターに駆動電源を接続する電源回路と、
その電源回路に設けられたルーター電源オンオフ装置と、
前記ルーターの稼働状況を検出する稼働検出手段と、
その稼働検出手段によりルーターの稼働状況を監視し、フリーズが生じていると判定したときに前記ルーター電源オンオフ装置によりルーターへの電源をいったんオフした後に再びオンとして再起動させるルーター管理手段と、
を含む。
【００１０】
これによれば、何らかの理由によりルーターにフリーズ等が生じてもルーター管理手段（監視装置）がそのフリーズ等の異常を検出して、再起動することによりフリーズ等を容易に解消することができ、メンテナンスが楽である。
【００１１】
本発明の実施態様では、
前記ルーターに駆動電源を接続する電源回路と、
その電源回路に設けられたルーター電源オンオフ装置と、
ルーター内又はルーター近傍の温度を計測する温度センサと、
その温度センサによりルーターの温度状態を監視し、そのルーター内又はその近傍の温度が所定値以上の高温状態となったときに前記ルーター電源オンオフ装置によりルーターへの電源をいったんオフし、前記温度が低下基準を満たしたときにルーターへの電源を再びオンとするルーター管理手段と、
を含む。
【００１２】
これによれば何らかの理由でルーターが所定値以上の高温状態（過熱状態）となっても、ルーター電源オンオフ装置がルーターの電源を一旦落として、温度が下がるまでルーターを休止し、その後ルーターへの電源を再びオンとすることにより、ルーターが過熱状態で放置されることによる破壊や損傷等を回避することができる。
【００１３】
本発明の実施態様では、
前記ルーターに駆動電源を接続する電源回路と、
その電源回路に設けられたルーター電源オンオフ装置と、
前記ルーターの稼働時間帯を設定する稼働時間帯設定手段と、
その稼働時間帯設定手段により設定されたルーターの稼働開始時間、及び稼働終了時間が到来したかどうかを判定する計時手段と、
その計時手段がルーターの稼働開始時間を示したときに前記ルーター電源オンオフ装置によりルーターの電源をオンとし、前記稼働終了時間を示したときに前記ルーター電源オンオフ装置によりルーターの電源をオフとするルーター管理手段と、
を含む。
【００１４】
これによれば無線ＬＡＮ装置（アクセスポイント）の利用がほとんどないことが予想される深夜や早朝の時間帯等にルーターの稼動を停止して消費電力を低減できる。また、深夜早朝等に公衆無線ＬＡＮサービスを停止し、例えば、深夜等に無線ＬＡＮ装置（アクセスポイント）の周辺に人がたむろするのを防止できる。
【００１５】
なお、上述したルーターのフリーズを解消するために、ルーターの電源を落としたのち再起動させること、ルーターが過熱状態となった時にルーターの電源を落として過熱状態が解消するまでルーターを休止すること、ルーターの稼動時間帯を所定の範囲に限定することの機能を併有した公衆無線ＬＡＮシステムとすることも可能である。
【００１６】
本発明の実施態様では、
前記固有データ送信手段は、前記無線携帯端末がルーターと無線ＬＡＮで接続されたとき、前記ストレージに格納されている無線ＬＡＮ固有データ中に含まれる基本画面データを読み出して無線携帯端末に送信し、
前記接続手段は、その基本画面の閲覧がされた後になされる、無線携帯端末から前記ルーターへ送られるインターネットへの接続指令により無線携帯端末をインターネットへ接続する。
【００１７】
これによればユーザーが無線ＬＡＮ装置にアクセスした時、インターネットに接続する前に基本画面（初期画面）データがユーザー端末に提供されて閲覧されるため、無線ＬＡＮの接続状態でそのアクセスポイント設置者が希望する情報をユーザーの携帯端末に提供することができ、アクセスポイントを単なるインターネット等への接続の入り口に留めない利点がある。
【００１８】
本発明の実施態様では、
前記アクセスポイントを構成する主要な構成要素であるルーター及びストレージを含むルーター装置が複数設置され、それら複数のルーター装置がインターネットへそれぞれ接続され、他方、そのインターネットへ接続された遠隔端末としてのサーバーから各ルーター装置のストレージに対し前記無線ＬＡＮ固有データがインターネットを介して送信されて該無線ＬＡＮ固有データがそれぞれ格納又は変更される。
【００１９】
このようにアクセスポイントが複数設置される場合に遠隔端末としてのサーバー等による一元管理が特に有効となる。
【００２０】
本発明の実施態様では、
前記アクセスポイントを構成する主要な構成要素であるルーター及びストレージを含むルーター装置が複数設置され、それら複数のルーター装置がインターネットへそれぞれ接続され、他方、そのインターネットへ接続された遠隔端末としてのサーバーから、ルーターの前記稼働時間帯を設定する稼働時間帯設定手段のためのデータが各ルーター装置へ送信される。
【００２１】
これによれば複数のアクセスポイントに対してルーターの稼働時間を一括して設定したり、あるいは個々のアクセスポイントの事情に応じてルーターの稼働時間を変更することにより最も好ましい時間帯で公衆無線ＬＡＮサービスを行うことができ、そのような態様もサーバー等の遠隔端末から管理することができる。
【００２２】
また、本発明の自動販売機は、請求項１に記載のルーター、ストレージ、及び固有データ送信手段を含むルーター装置が設置されたことを特徴とする。
【図面の簡単な説明】
【００２３】
【図１】本発明の公衆無線ＬＡＮシステムの一例を示す概念図。
【図２】公衆無線ＬＡＮ装置（アクセスポイント）を自動販売機の上に設置した例を示す概念図。
【図３】本発明の公衆無線ＬＡＮシステムのルーター、ルーター管理装置及びサーバーの系統的なブロック図。
【図４】図３のブロック図の機能（信号の流れ）を示す概念図。
【図５】無線ＬＡＮ固有データとしてのアクセスユーザー用の閲覧画面の一例を示す正面図。
【図６】図３に示す接続プログラム、通信プログラム及びユーザーアクセスプログラム（ユーザーアクセス時の接続）を示すフローチャート。
【図７】図３に示すアクセスポイントへのデータ格納、データ修正・変更プログラム、リモートメンテナンスプログラム等（サーバーからルーターへの送信）の一例を示すフローチャート。
【図８】図３に示すサーバーへの送信プログラム、ないし各ＡＰ別アクセス履歴・ログデータ収集プログラム、各ＡＰでの利用端末の登録メールアドレス／ＭＡＣアドレス収集プログラム（ルーターからサーバーへの送信）の一例を示すフローチャート。
【図９】図３に示すフリーズ監視プログラム、ルーター温度監視プログラム、ルーター稼動時間管理プログラム（ルーターの管理監視）の一例を示すフローチャート。
【図１０】本発明の公衆無線ＬＡＮシステムの主要な要素を示すブロック図。
【図１１】そのブロック図におけるユーザーアクセス段階の信号の流れを示す信号系統図。
【図１２】同じくサーバーからルーターへのデータ送信時の信号の流れを示す信号系統図。
【図１３】接続履歴（ログデータ等）のルーター側からサーバー側への送信時の信号の流れを示す信号系統図。
【図１４】ルーター監視装置がルーターの監視を行う際の信号の流れを示す信号系統図。
【図１５】サーバーからメンテナンスデータをルーターへ送信する際の信号の流れを示す信号系統図。
【発明を実施するための形態】
【００２４】
図１は、本発明の公衆無線ＬＡＮシステムの一例を示しており、アクセスポイントとなる。無線ＬＡＮ装置１０（ルーター装置）は、複数の携帯無線端末１からアクセスされて、それらとの間で無線ＬＡＮを構築するルーター２と、そのルーター２の監視や管理を行うルーター管理装置３と、ルーター２に接続された大容量メモリとしてのストレージ４（例えばＵＳＢメモリ）を備える。このような公衆無線ＬＡＮ装置１０がインターネット５に複数接続されて、複数のアクセスポイントを構成し、インターネットに接続された遠隔端末としてのサーバー６により一括管理されるようになっている。
【００２５】
図２は、そのような公衆無線ＬＡＮ装置（ルーター装置）１０が自動販売機８の上部に設置され、このような複数の無線ＬＡＮ装置１０（アクセスポイント）がインターネット５に接続されて、そのネット上のサーバー６により一括管理される例を示す。９は無線ＬＡＮ用のアンテナである。このように自動販売機８の上部は通常空いているスペースであり、ここを利用して公衆無線ＬＡＮ装置１０（アクセスポイント）を設置することにより、特別の支持構造体が不要となり、また自動販売機８の周りに無線携帯端末１を所持したユーザーが集まりやすいから、自動販売機８の売上げの向上にも繋がる。
【００２６】
図３は以上のようなルーター２、ルーター管理装置３、ストレージ４、サーバー６のブロック図である。ルーター２にはバス１４を介してＣＰＵ１１、ＲＯＭ１２、ＲＡＭ１３、Ｉ／Ｏポート１５（入出力インターフェース）が接続されている。Ｉ／Ｏポート１５には送信・受信ＬＡＮアンテナ９が接続されて、このアンテナ９に対し、例えば、Ｗｉ-Ｆｉ端末１が無線ＬＡＮを構築するように接続される。また、このルーター２もインターネット５に接続するために例えば、Ｉ／Ｏポート１５に接続された外部電波アンテナ１６が設けられ、ここと無線基地局１７とが無線通信で結ばれて、ルーター２がインターネット５に接続される。勿論、図４に示すように、ルーター２を外部電波アンテナ１６及び無線基地局１７を介して固定インターネット網５に接続するのに代えてルーター２をモデム・コンバーター１８、光・ＤＳＬ・ケーブル等の固定ネット回線１９を介して公衆インターネット網５に接続することもできる。
【００２７】
図３に戻って、ルーター２のＲＯＭ１２には、一般にインターネット５に接続するための接続プログラム、その接続状態でインターネット５と通信を行う通信プログラムが公知のものと同様に格納されている。また、この発明に固有のプログラムとして、ユーザーの無線携帯端末１からルーター２がアクセスを受けた際に実行するユーザーアクセスプログラム、サーバー６へ必要なデータを送信するサーバー送信プログラム、サーバー６から指令を受けた際に実行される指令受プログラム等が格納されている。また、ルーター２には、ストレージ４の接続端子として例えばＵＳＢハブ２０が設けられ、このＵＳＢハブ２０に例えばＵＳＢメモリ等のストレージ４が差し込まれてルーター２と接続されている。ルーター２の電源は、ルーター管理装置３の接続コンセント２２から取られ、その電源回路２３がＩ／Ｏポート１５へ接続されている。
【００２８】
ストレージ４には端末１がルーター２にアクセスされた際に端末１のユーザーに閲覧させるルーター閲覧画面データ、また、画面上でユーザーの端末１にダウンロード可能なダウンロード用データ、ユーザー端末１がルーター２にアクセスした際のアクセス履歴（ログデータ等）、その他ＡＰコンフィグ、ファームウェアデータ等が格納され、さらにルーター２を深夜や早朝を除く限られた時間帯だけ稼動するルーター稼動時間帯データ等が格納されている。後述するように、ストレージ４に格納されたデータはサーバー６からの指令・配信により収集変更可能であり、またストレージ４に格納したデータをサーバー６へ送ることもできる。また、初期設定状態のストレージ４へ全て新規のデータをサーバー６から格納するといったことも可能である。
【００２９】
なお、コンフィグとは、ＤＯＳ（ｄｉｓｋ  Ｏｐｅｒａｔｉｎｇ  Ｓｙｓｔｅｍ）において主に環境設定を記述するためのファイルのことであり、コンフィグはテキストファイルとして記述されており、起動させたドライブ（ルーター等）のルートディレクトリに保存される。メモリの設定、周辺機器の接続状況といった設定情報がコンフィグにおいて定義されている。コンフィグは、システムが起動されると最初に読込まれ、続いて設定ファイルが順次読込まれていく。コンフィグは単純なテキストファイルであるため、容易に編集することができる。コンピューターを再起動すると、コンフィグで変更した内容を反映させることができる。よって、サーバー６から各ＡＰへ送信してコンフィグを書き換えると有益なこともある。
【００３０】
ルーター管理装置３はバス２４を介してＣＰＵ２５、ＲＯＭ２６、ＲＡＭ２７及びＩ／Ｏポート２８（入出力インターフェース）が相互に接続されている。ＲＯＭ２６にはルーター２のフリーズ（死活）を監視するフリーズ監視プログラム、ルーター２が所定以上の高温になった時にそれを解消するルーター温度監視プログラム、ルーター２の稼働時間を管理するルーター稼働時間管理プログラム等が格納されている。このＲＯＭ２６に格納されるプログラムは主にルーター２の監視・管理等に特化されたものである。
【００３１】
ルーター管理装置３は、電源プラグ３０がＡＣ電源２９に差し込まれることにより電源を得、電源回路３１がＩ／Ｏポート２８に接続されるとともに、この電源回路３１にはルーター電源オンオフ回路（装置）３２が接続されるとともに、これに前述の接続コンセント２２が繋がれる。そして、ルーター電源オンオフ回路３２はＩ／Ｏポート２８に接続され、ＣＰＵ２５からの指令によりルーター２への電源をオンオフする。つまり、ルーター２はルーター管理装置３から電源を貰っておりＡＣ電源２９からプラグ３０、電源回路３１、ルーター電源オンオフ回路３２、接続コンセント２２、プラグ２１、電源回路２３の通電経路が、ルーター電源オンオフ回路３２がオフとされることにより遮断されルーター２への電源供給が断たれる。その後ルーター電源オンオフ回路３２がオンとされれば、ルーター２が再起動されることになる。このような処理はルーター２がいわゆるフリーズした場合の解消処理として有効である。
【００３２】
サーバー６はインターネット５に対し例えば固定（有線）ネット回線３２ａ、モデム３３を介して接続される。これに代えて図４に示すように外部電波アンテナ１６と固定基地局１７を介してサーバー６をインターネット５に接続することもできる。サーバー６はバス３２ｂを介してＣＰＵ３４、ＲＯＭ３５、ＲＡＭ３６、Ｉ／Ｏポート３７（入出力インターフェース）が相互に接続されている。また、大容量メモリとして例えばハードディスク３８（ＨＤＤ）等がＩ／Ｏポート３７に接続され、このＨＤＤ３８が主にデータベースメモリとして機能とする。例えばＨＤＤ３８にはユーザーが公衆無線ＬＡＮサービスを利用するためにルーター２にアクセスした際に閲覧させるルーター閲覧画面データ、その画面で案内されるダウンロード用データ、ＡＰコンフィグ・ファームウェアデータ、ルーター２の稼動時間帯を設定するルーター稼動時間帯データ、サーバー６によって一括管理される現存する複数のアクセスポイントを特定するアクセスポイントデータ、ユーザーがルーター２にアクセスした際に収集されるアクセスログ・ユーザー端末データ（これはルーター２に接続されたストレージ４からインターネット５を介して送信される）、さらにユーザーがルーター２にアクセスする時に登録を求められたメールアドレス／ＭＡＣアドレス登録データ（これもルーター２側からサーバー６に供給される）等が格納される。
【００３３】
なお、ルーター閲覧画面データ、ダウンロード用データ、ＡＰコンフィグデータ・ファームウェアデータ、ルーター稼動時間帯データ等はストレージ４に格納される元データとなるものであり、サーバー６からインターネット５を介して空のストレージ４に新規のデータを通信し格納することもできるし、サーバー６からそれらの修正・変更用データをストレージ４へ送ってこれを書き換える（更新する）こともできる。
【００３４】
図４はサーバー６とルーター２側のデータの送信・受信関係の流れを示すもので、例えばサーバー６からＡＰ（アクセスポイント）接続ストレージ４へのデータの流れは、サーバー６よりデータ修正・変更を行って前日のルーター閲覧画面（リダイレクト閲覧画面）データ（ＷＥＢデータ）を書き変えることができる。無線ＬＡＮルーター２から点線で例えばＷｉ-Ｆｉ端末１に至るルートはそのリダイレクト閲覧データがサーバー６により簡単に修正・変更が可能であることを示している。なお、無線ＬＡＮルーター２と各端末１とは同時に複数が無線ＬＡＮ（１）〜（３）を構築するもので、その部分に実態的な装置があるわけではない。死活監視装置３としたのは、ルーター管理装置３のある一場面に着目した名称で主にフリーズの監視である。例えばＵＳＢハブ２０に差し込まれるストレージ４が大量記憶領域として機能する。
【００３５】
サーバー６の２段目の、サーバー６からＡＰ（アクセスポイント）接続ストレージ４の流れにおいて、アクセスユーザー用のダウンロード用データ（ファイル）もサーバー６よりストレージ４へデータ修正・変更を加えることで最新の状態に書き変えることができる。この流れは実線の矢印で示されている。
【００３６】
サーバー６の３段目は上記とは流れが逆で、ＡＰ接続ストレージ４からサーバー６へ向かうデータの流れであり、各ＡＰ別のアクセス履歴・ログデータ（端末情報を含む）をインターネット５を介してサーバー６へ送り、そのデータ収集をすることができる。これは一点鎖線の流れとして示されている。
【００３７】
サーバー６の４段目の、ＡＰ（アクセスポイント）からサーバー６への流れとして、ルーター２へのアクセス時に入力された登録メールアドレス／ＭＡＣアドレス情報等の各ＡＰでの利用端末の情報もインターネット５を介してサーバー６へ集めることができる。この流れは二点鎖線の矢印で示されている。
【００３８】
更にサーバー６からＡＰコンフィグ／ファームウェアデータ等をサーバー６から各アクセスポイント（ＡＰ）に送ることによりリモートメンテナンスもできる。そして、サーバー６の階層別管理者がアクセスログやデータ端末情報のレポート主力をすることができる。これには図３のサーバー６のＩ／Ｏポート３７にドライバ３９を介して接続されたプリンタ４０により例えばＨＤＤ３８に格納されたアクセスログ・ユーザー端末データを印刷してレポート出力をすることができる。
【００３９】
ユーザーがルーター２にアクセスした際に、そのユーザーの端末１に最初に現れる画面の一例を図５に示す。これは、アクセスユーザー用閲覧画面（リダイレクト閲覧画面）４１である。この画面４１には例えば広告情報、そのアクセスポイントに対応する有益な生活情報４２、例えば天気予報、市役所の好適な情報、災害時の避難場所、その地区での行事（祭り、催しもの等）、アクセスしたユーザーに対してダウンロードサービスを行うダウンロード用ファイル４３（この例ではＡからＦまでアイコンやファイル名等が記載される。）が表示される。ユーザーがダウンロードした個所をクリックし、かつダウンロード実行ボタン４４をクリックすると、その選択したファイルが無線ＬＡＮを通じてユーザーの端末１にダウンロードされる。また、インターネット５に接続と書かれたインターネット接続ボタン４５をクリックするとユーザーの端末１はルーター２を介してインターネットに更に接続され、インターネット５を通じて種々の情報を収集することができる。
【００４０】
次に図６〜図９のフローチャートに基づいて前述した各種プログラムの内容を説明する。図６のプログラムはユーザーアクセスの接続のフローであり、図３のルーター２におけるＲＯＭ１２の接続プログラム、通信プログラム及びユーザーアクセスプログラムに該当する。図１、図２、図３に示すようにユーザーの端末１からルーター２にアクセスがあると（Ｓ１）、そのログデータ（端末情報を含む）に基づきファイアウォール処理が行われ（Ｓ２）、Ｓ３でそのアクセスが排除されれば、それでアクセスできずに終る。排除されなければＳ４でメールアドレスの入力が必要かどうかが判断される。これは、この接続プログラムにおけるシステムとしてメールアドレス等の入力が必要なければ、Ｓ１１の無線ＬＡＮの接続となるが、ある程度のセキュリティーを確保する点からメールアドレスの入力が必要とされればＳ５でメールアドレスが登録済みかどうかが問われ、登録済みでなければＳ７でユーザーによりメールアドレスの入力が行われる。Ｓ８、Ｓ９の処理はインターネット５を介したサーバー６側の処理となり、Ｓ７で入力されたメールアドレスがＳ８でサーバー６に送られ、サーバー６でメールアドレスの登録、ＭＡＣアドレスの登録がなされ、図３のサーバー６のＨＤＤ３８に格納される。そして、Ｓ９でサーバー６からルーター２にパスワードが送信され、Ｓ１０でユーザーが自己の端末１にそのパスワードを取得することになる。一旦、そのパスワードを取得すれば、Ｓ５で登録済みとなりＳ６でパスワードの入力がされるとＳ１１の無線ＬＡＮの接続となる。
【００４１】
公衆無線ＬＡＮサービスで自由なアクセスを保障するためには、メールアドレス等の特別な入力を必要とせず、Ｓ１２でそのアクセス時のログデータ（端末情報も含む）をストレージ４に記憶する。Ｓ１３でルーター２として固有の閲覧画面データをストレージ４から読出しアクセス元の端末１に送信する。その閲覧画面の一例が図５に示したものである。ユーザーがその画面を見てダウンロードを希望する場合は、ダウンロード実行ボタン４４等のクリックによりＳ１４によりダウンロード指令ありとなり、Ｓ１５でルーター２のＣＰＵ１１はストレージ４からユーザーが選択したダウンロードデータを読出し、アクセス元の端末１へダウンロードする。
【００４２】
その後、Ｓ１３で表示される画面においてインターネット接続ボタン４５がクリックされることにより、Ｓ１６のインターネットへの接続指令があれば、この段階でＳ１７によりインターネットへ接続される。その後は従来と同様にＳ１８でインターネット接続による通信処理が行われ、Ｓ１９でインターネットの切断指令があればＳ１９´でインターネットが切断されて、処理が終る。
【００４３】
Ｓ１３の閲覧画面はインターネット５の接続前に必ずユーザー端末１に送信され、このルーター２が単なるインターネット５への接続入り口部にならずユーザーにより有効なデータを提供することができる。また、インターネット上のウェブサイトからダウンロードするのと異なり、ストレージ４に格納されたダウンロードデータを読出してユーザー端末１へダウンロードすることから、高速かつ短時間でデータの供給ができる。
【００４４】
図７はサーバー６からルーター２にへの送信の処理である。この処理は、図３のＲＯＭ３５に格納されたＡＰ（アクセスポイント）へのデータ格納・データ修正・変更プログラム、リモートメンテナンスプログラム等に対応する。図７でサーバー６からルーター２への送信に際し、アクセスポイント全てに送信するものとＳ２０が判断すれば、Ｓ２２でサーバー６のＨＤＤ３８から供給先となる全アクセスポイントの読出しが行われ、アクセスポイントに全てに送信するのでなければ、Ｓ２１でアクセスポイントの指定が行われる。
【００４５】
Ｓ２３では新規データの送信かどうか、Ｓ２４ではデータ修正・変更かどうかが判断され、新規データでもデータ修正変更でもない場合は、サーバー６とルーター接続ストレージ４とのデータ同期の処理が実行される（Ｓ２５）。
【００４６】
更に送信されるデータがユーザーアクセス時の閲覧画面データであれば（Ｓ２６）、Ｓ２７でその閲覧画面の新規データ又は修正・変更データをサーバー６からルーター２に送信し、Ｓ２８でルーター接続ストレージ４に書込まれる。例えば、全アクセスポイントのストレージ４へサーバー６から一斉に同様のデータを一括して格納することができる。
【００４７】
Ｓ３０のダウンロード用データの送信の場合は、Ｓ３１でダウンロード用の新規データ又は修正・変更データをサーバー６のＨＤＤ３８から読出し、これをインターネット５を介してＳ３２でルーター接続ストレージ４へ書込む。これにより各アクセスポイントに出向くことなくユーザーがダウンロード可能なデータが最新のものに自由に変えられる。
【００４８】
Ｓ３３でＡＰコンフィグ・ファームウェアデータと判断されれば、Ｓ３４でサーバー６のＨＤＤ３８からそのデータが読出され、インターネット５を介してＳ３５でルーター接続ストレージ４へ書込まれる。これにより最も適切なファームウェア等の容易にデータ変更ができる。
【００４９】
Ｓ３６でルーター稼動時間帯データの送信と判断されると、Ｓ３７でサーバー６のＨＤＤ３８からそのルーター稼動時間帯データが読出され、これがＳ３７でインターネット５を介してルーター２へ送られ、そのストレージ４へ格納されるか、ルーター管理装置３のＲＡＭ２７へＬＡＮケーブル２５を介して書込むこともできる。サーバー６からルーター２に送信するデータはＳ２６の閲覧画面データでなく、Ｓ３０のダウンロードデータでもＳ３３のＡＰコンフィグ等のデータでもなく、Ｓ３６のルーター稼動時間帯データでもない場合は、Ｓ３９でその他の新規又は修正・変更データをルーター２へ送信する処理が実行され、Ｓ４０でルーター接続ストレージ４又はルーター２のＲＡＭ１３にそのデータが書込まれる。
【００５０】
なおＳ２５のサーバー６とストレージ４とのデータの同期を図る場合は、同期データをサーバー６からルーター２へ送信し、ルーター接続ストレージ４を上書きして終る。これは新規データの修正・変更に近いものであるが、ストレージ４のデータとサーバー６のデータが一致しているかどうか不明な場合に一律にこの同期データを送ればデータの不一致は解消される。
【００５１】
図８はルーター２からサーバー６への送信処理を示すフローチャートである。これは図３のルーター２におけるＲＯＭ１２のサーバー送信プログラム、指令受プログラム等に対応するフローとなる。サーバー６へのデータ送信のきっかけは、Ｓ５０のサーバー６から送信要求がある場合、Ｓ５１のサーバー６への予め決められた送信時間が到来した場合、Ｓ５２の緊急事項の即送信の３タイプを例示することができる。サーバー６からの送信要求がなくてもサーバー６への送信時間が到来すればサーバー６への送信の流れとなり、またサーバー６への送信時間の到来がなくてもサーバー６からの送信要求があった場合は同様な処理となる。これらＳ５０、Ｓ５１の要件が満たされなくても緊急事項の場合はＳ５２で即送信の判断がなされる。
【００５２】
Ｓ５０、Ｓ５１からの流れで、Ｓ５３ではアクセス履歴／ログデータの送信とされれば、Ｓ５４でストレージ４からアクセス履歴／ログデータ（端末情報を含む）をＣＰＵ１１が読出し、Ｓ５５でこの読出したデータをサーバー６へインターネット５を介して送信する。サーバー６へ送信したデータについてはストレージ４に残してもいいがＳ５６のようにストレージ４の読出し領域をクリアすることができる。Ｓ５７で送信履歴をストレージ４に記録することもできる。なお、サーバー６側ではこのルーター２から送信されたデータをＨＤＤ３８に書込む。
【００５３】
Ｓ５８でルーター２のフリーズデータの送信とされれば、Ｓ５９でストレージ４からルーター２のフリーズ履歴・フリーズ復旧（ルーター電源オフ）のデータを読出し、Ｓ６０で読出したデータをサーバー６へインターネット５を介して送信する。サーバー６ではＨＤＤ３８へ格納する。
【００５４】
Ｓ６１でルーター２の過熱データが送信される場合は、Ｓ６２でルーターの過熱履歴・ルーター休止期間等のデータがストレージ４から読出され、Ｓ６３でその読出されたデータがサーバー６へインターネット５を介して送信される。サーバー６での格納処理はさっきと同様に行われる。
【００５５】
Ｓ６４でその他の要送信データをサーバー６へ送信する場合は、その読出しが例えばストレージ４等から行われ、Ｓ６５で読出したデータをサーバー６へ送信する。
【００５６】
なお、Ｓ５２で緊急事項の即送信を行う場合は、例えばＳ６６でルーター２のフリーズ復旧困難・ルーター２の過熱解消困難等によるルーター電源オフ（強制停止）等のデータをサーバー６へ送信する。この際は、そうしたルーター２の復旧できない緊急事態が生じたときに、即その情報がサーバー６に送信され、詳しい図示はしないがサーバー６では緊急事態の警報表示が行われる。例えば、複数のアクセスポイントのうち稼動不能な状況に陥ったアクセスポイントの位置を赤色表示したり、あるいは点滅させたりする表示ないし警報を行うことにより管理者に迅速にその事実を知らせる。
【００５７】
図９はルーターの管理（監視）のフローチャートである。これは図３におけるルーター監視装置３のＲＯＭ２６に格納されたフリーズ監視プログラム、ルーター温度監視プログラム、ルーター稼働時間管理プログラム等に対応するフローとなる。Ｓ７０で例えば管理（監視）順序の設定がされたとすると、例えばＳ７１の死活監視（フリーズ監視）、Ｓ８０のルーター温度監視、Ｓ８６のルーターの稼動時間帯管理等をどの順番でかつ、どのようなサイクルタイムで監視ないし管理を行うか予め定められる。
【００５８】
Ｓ７１で死活監視の場合、Ｓ７２で監視タイミング（所定のサンプリングタイム）で、Ｓ７３によりルーター管理装置３がルーター２に監視信号（確認信号）を出力する。図３におけるルーター２のＣＰＵ１１はその監視信号を受けると応答信号を出力することができるが、このＣＰＵ１１が作動できない状態（フリーズ）であるとＳ７４で応答信号がないと判断され、ルーター管理装置３のルーター電源オンオフ回路３２をＣＰＵ２５がオフしてルーター２への電源を断つ。
【００５９】
Ｓ７６で再起動のためルーター電源オンオフ回路３２がオンとされる。Ｓ７７で応答信号がありと判断されれば、これでフリーズ等のルーター２の異常が解消されたこととなり、処理は終る。Ｓ７７で応答信号がなければ（この例では１回の再起動でフリーズ等が解消されなければＳ７８に移るようになっているが、１回で駄目なら２回、３回と再起動を繰り返した上で応答信号がない場合にＳ７８に移行してもよい。）、Ｓ７８ではルーター２ではルーター２のフリーズ等の異常が復旧できないものと判断してルーター電源オンオフ回路３２をオフにしてルーター故障のメッセージをサーバー６に送信する。
【００６０】
Ｓ８０でルーター温度監視の場合は、Ｓ８１の監視タイミングでＳ８２によりルーター２の温度センサの信号が読み取られる。Ｓ８３でそのルーター２の温度が許容限度以下であれば、それで問題ないとして処理が終るが、許容限度を超える場合は、Ｓ８４でルーター電源オンオフ回路３２をＣＰＵ２５がオフしルーター２を休止させる。
【００６１】
Ｓ８５でその休止によりルーター２の温度が許容限度以下になれば過熱の問題が解消されたものとして処理は終る。Ｓ８４でルーター２を休止させたにも関らず、Ｓ８５でルーター２の過熱状態が許容限度を下回らなければ、Ｓ７９が実行されてルーター２の過熱による故障のメッセージをサーバー６に送信する。Ｓ８６のルーター２の稼動時間帯の管理を行う場合は、Ｓ８７においてルーター２の稼動開始時間が到来したかどうかが判断され、到来した（タイマーオン）と判断されるとＳ８８でルーター電源オンオフ回路３２をオンにしてルーター２の電源を入れる。Ｓ８９でルーター２の稼働時間終了が到来したかどうかが判断され、到来したと判断すれば（タイマーオフ）ルーター電源オンオフ回路３２をオフし、ルーター電源を落とす。言い換えれば、タイマーでセットした稼働時間が到来すればルーター２の稼働が開始され、タイマーで設定した終了時間が到来すればルーター２の稼動が終了する。これにより深夜早朝等の時間帯におけるルーター２の稼動を停止することができる。
【００６２】
ルーター２の管理で以上のいずれにも該当しない場合は、Ｓ９１のその他の管理が実行されて終了する。前述のようにルーター２の稼動時間帯はサーバー６からの指令によりアクセスポイント毎に自由に設定することができる。
【００６３】
以上代表的な処理の流れをフローチャートで説明したが、これを図１０の大きな要素毎、つまり、端末１、ルーター２、監視装置３、ストレージ４、インターネット５、サーバー６に着目して信号の流れをごく概念的に示せば図１１ないし図１５のようになる。
【００６４】
図１１はユーザーの端末１からルーター２へアクセス要求され、ストレージ４から初期画面のデータが読出されて端末１で閲覧し、ダウンロード要求に対しそのダウンロードデータがストレージ４から読出され端末１に格納される。更にインターネット接続要求がルーター２のされた場合は、インターネット接続されて端末１による通信が可能になることを示している。
【００６５】
図１２はサーバー６からルーター２にデータ送信し、ルーター２からストレージ４へアクセス時の閲覧画面やダウンロードのデータがストレージ４に書込まれる流れを示している。
【００６６】
図１３はサーバー６からの指令に基づいてルーター２から接続履歴データ（ログデータ等）の読出し指令がストレージ４に行き、ストレージ４から読出された接続履歴データ等がサーバー６に送られるやり取りを示している。
【００６７】
図１４はルーター２の監視装置３から確認信号がルーター２に出され、ルーター２から応答信号（返信）が管理装置３からルーター２を経てサーバー６へその旨の通知が行くことを示している。
【００６８】
図１５はサーバー６から前述のメンテナンスデータがルーター２に向けて送信される流れを示している。
【００６９】
以上、本発明の実施の態様を説明したが、本発明はその具体的な記載に限定されることなく、例示した構成、処理等を技術的に矛盾の範囲で適宜組み合わせて実施することも可能であるし、またある要素、処理を周知の形態に置き換えて実施することもできる。
【符号の説明】
【００７０】
１      無線携帯端末          ２      ルーター
３      ルーター管理装置      ４      ストレージ
５      インターネット        ６      サーバー（遠隔端末）
８      自動販売機            
１０    無線ＬＡＮ装置（アクセスポイント）
３２    ルーター電源オンオフ回路
【図１】
2013141193.tif 000003
【図２】
2013141193.tif 000004
【図３】
2013141193.tif 000005
【図４】
2013141193.tif 000006
【図５】
2013141193.tif 000007
【図６】
2013141193.tif 000008
【図７】
2013141193.tif 000009
【図８】
2013141193.tif 000010
【図９】
2013141193.tif 000011
【図１０】
2013141193.tif 000012
【図１１】
2013141193.tif 000013
【図１２】
2013141193.tif 000014
【図１３】
2013141193.tif 000015
【図１４】
2013141193.tif 000016
【図１５】
2013141193.tif 000017
【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
インターネットへ無線携帯端末を接続するアクセスポイントを形成するための公衆無線ＬＡＮシステムであって、
所定距離範囲に存在する無線携帯端末との間で無線ＬＡＮを構築するとともに該無線携帯端末をインターネットへ接続するための接続手段を含むルーターと、
そのルーターに接続された外部メモリとして機能し、インターネットへ接続された遠隔端末から送信されるデータの書込みが可能であって、前記ルーターにアクセスした無線携帯端末に表示させる閲覧画面のデータを含む無線ＬＡＮ固有データが少なくとも格納されるストレージと、
前記ストレージに格納された前記無線ＬＡＮ固有データ中に含まれる前記閲覧画面のデータを前記ルーターにアクセスした無線携帯端末に送信する固有データ送信手段と、
を含むことを特徴とする公衆無線ＬＡＮシステム。
【請求項２】
前記遠隔端末からインターネットを介して前記無線ＬＡＮ固有データを前記ストレージに書込み、若しくは該ストレージに格納されている無線ＬＡＮ固有データを変更するデータ管理手段を含む請求項１に記載の公衆無線ＬＡＮシステム。
【請求項３】
前記ルーターに駆動電源を接続する電源回路と、
その電源回路に設けられたルーター電源オンオフ装置と、
前記ルーターの稼働状況を検出する稼働検出手段と、
その稼働検出手段によりルーターの稼働状況を監視し、フリーズが生じていると判定したときに前記ルーター電源オンオフ装置により前記ルーターへの電源をいったんオフした後に再びオンとして再起動させるルーター管理手段と、
を含む請求項１又は２に記載の公衆無線ＬＡＮシステム。
【請求項４】
前記ルーターに駆動電源を接続する電源回路と、
その電源回路に設けられたルーター電源オンオフ装置と、
ルーター内又はルーター近傍の温度を計測する温度センサと、
その温度センサによりルーターの温度状態を監視し、そのルーター内又はその近傍の温度が所定値以上の高温状態となったときに前記ルーター電源オンオフ装置によりルーターへの電源をいったんオフし、前記温度が低下基準を満たしたときにルーターへの電源を再びオンとするルーター管理手段と、
を含む請求項１又は２に記載の公衆無線ＬＡＮシステム。
【請求項５】
前記ルーターに駆動電源を接続する電源回路と、
その電源回路に設けられたルーター電源オンオフ装置と、
前記ルーターの稼働時間帯を設定する稼働時間帯設定手段と、
その稼働時間帯設定手段により設定されたルーターの稼働開始時間、及び稼働終了時間が到来したかどうかを判定する計時手段と、
その計時手段がルーターの稼働開始時間を示したときに前記ルーター電源オンオフ装置によりルーターの電源をオンとし、前記稼働終了時間を示したときに前記ルーター電源オンオフ装置によりルーターの電源をオフとするルーター管理手段と、
を含む請求項１又は２に記載の公衆無線ＬＡＮシステム。
【請求項６】
前記ルーターに駆動電源を接続する電源回路と、
その電源回路に設けられたルーター電源オンオフ装置と、
前記ルーターの稼働状況を検出する稼働検出手段と、
前記ルーターの稼働時間帯を設定する稼働時間帯設定手段と、
その稼働時間帯設定手段により設定されたルーターの稼働開始時間、及び稼働終了時間が到来したかどうかを判定する計時手段と、
前記稼働検出手段によりルーターの稼働状況を監視し、フリーズが生じていると判定したときに前記ルーター電源オンオフ装置により前記ルーターへの電源をいったんオフした後に再びオンとして再起動させる機能と、前記計時手段が前記ルーターの稼働開始時間を示したときに前記ルーター電源オンオフ装置により前記ルーターの電源をオンとし、前記稼働終了時間を示したときに前記ルーター電源オンオフ装置により前記ルーターの電源をオフとする機能とを併有するルーター管理手段と、
を含む請求項１又は２に記載の公衆無線ＬＡＮシステム。
【請求項７】
前記固有データ送信手段は、前記無線携帯端末がルーターと無線ＬＡＮで接続されたとき、前記ストレージに格納されている無線ＬＡＮ固有データ中に含まれる前記閲覧画面のデータとしての基本画面データを読み出して無線携帯端末に送信し、
前記接続手段は、その基本画面の閲覧がされた後になされる、無線携帯端末から前記ルーターへ送られるインターネットへの接続指令により無線携帯端末をインターネットへ接続する請求項１又は２に記載の公衆無線ＬＡＮシステム。
【請求項８】
前記アクセスポイントを構成する主要な構成要素であるルーター及びストレージを含むルーター装置が複数設置され、それら複数のルーター装置がインターネットへそれぞれ接続され、他方、そのインターネットへ接続された遠隔端末としてのサーバーから各ルーター装置のストレージに対し前記無線ＬＡＮ固有データがインターネットを介して送信されて該無線ＬＡＮ固有データがそれぞれ格納又は変更される請求項２に記載の公衆無線ＬＡＮシステム。
【請求項９】
前記アクセスポイントを構成する主要な構成要素であるルーター及びストレージを含むルーター装置が複数設置され、それら複数のルーター装置がインターネットへそれぞれ接続され、他方、そのインターネットへ接続された遠隔端末としてのサーバーから、ルーターの前記稼働時間帯を設定する稼働時間帯設定手段のためのデータが各ルーター装置へ送信される請求項５に記載の公衆無線ＬＡＮシステム。
【請求項１０】
請求項１に記載のルーター、ストレージ、及び固有データ送信手段を含むルーター装置が設置されたことを特徴とする自動販売機。
【請求項１１】
前記ストレージには、前記無線ＬＡＮ固有データとして、前記無線携帯端末にダウンロードするためのダウンロード用データが格納され、
前記固有データ送信手段は、前記無線携帯端末に表示された前記閲覧画面を通じてなされるダウンロード指令により、前記ストレージに格納された前記ダウンロード用データを前記無線携帯端末に送信する請求項１に記載の公衆無線ＬＡＮシステム。
【手続補正２】
【補正対象書類名】明細書
【補正対象項目名】０００６
【補正方法】変更
【補正の内容】
【０００６】
本発明は、
インターネットへ無線携帯端末を接続するアクセスポイントを形成するための公衆無線ＬＡＮシステムにかかり、
所定距離範囲に存在する無線携帯端末との間で無線ＬＡＮを構築するとともに該無線携帯端末をインターネットへ接続するための接続手段を含むルーターと、
そのルーターに接続された外部メモリとして機能し、インターネットへ接続された遠隔端末から送信されるデータの書込みが可能であって、前記ルーターにアクセスした無線携帯端末に表示させる閲覧画面のデータを含む無線ＬＡＮ固有データが少なくとも格納されるストレージと、
前記ストレージに格納された前記無線ＬＡＮ固有データ中に含まれる前記閲覧画面のデータを前記ルーターにアクセスした無線携帯端末に送信する固有データ送信手段と、
を含むことを特徴とする。
【手続補正書】
【提出日】平成24年7月23日(2012.7.23)
【手続補正１】
【補正対象書類名】特許請求の範囲
【補正対象項目名】請求項１
【補正方法】変更
【補正の内容】
【請求項１】
インターネットへ無線携帯端末を接続するアクセスポイントを形成するための公衆無線ＬＡＮシステムであって、
所定距離範囲に存在する無線携帯端末との間で無線ＬＡＮを構築するとともに該無線携帯端末をインターネットへ接続するための接続手段を含むルーターと、
そのルーターに接続された外部メモリとして機能し、インターネットへ接続された遠隔端末から送信されるデータの書込みが可能であって、前記ルーターにアクセスした無線携帯端末に表示させる閲覧画面のデータを含む無線ＬＡＮ固有データが、前記無線携帯端末のアクセス前から予め格納されるストレージと、
前記ストレージに格納された前記無線ＬＡＮ固有データ中に含まれる前記閲覧画面のデータを前記ルーターにアクセスした無線携帯端末に送信する固有データ送信手段と、
を含むことを特徴とする公衆無線ＬＡＮシステム。
【手続補正２】
【補正対象書類名】明細書
【補正対象項目名】０００６
【補正方法】変更
【補正の内容】
【０００６】
本発明は、
インターネットへ無線携帯端末を接続するアクセスポイントを形成するための公衆無線ＬＡＮシステムにかかり、
所定距離範囲に存在する無線携帯端末との間で無線ＬＡＮを構築するとともに該無線携帯端末をインターネットへ接続するための接続手段を含むルーターと、
そのルーターに接続された外部メモリとして機能し、インターネットへ接続された遠隔端末から送信されるデータの書込みが可能であって、前記ルーターにアクセスした無線携帯端末に表示させる閲覧画面のデータを含む無線ＬＡＮ固有データが、前記無線携帯端末のアクセス前から予め格納されるストレージと、
前記ストレージに格納された前記無線ＬＡＮ固有データ中に含まれる前記閲覧画面のデータを前記ルーターにアクセスした無線携帯端末に送信する固有データ送信手段と、
を含むことを特徴とする。